(57)【要約】【課題】パレット番号ラベルの印字装置を備える設備コストおよびパレット番号ラベルをパレットに貼付する作業コストを不要とする合理的な貨物情報の管理方法および貨物情報の管理システムを提供することを課題とする。【解決手段】貨物の番号ラベルの印字装置、貨物の番号とパレット番号の対応関係を記録管理する管理データベース、貨物の番号ラベルを読み取り前記管理データベースを参照してパレット番号を教示する貨物の番号ラベルの読取り端末を備える貨物情報の管理システムを用いることにより、パレット番号ラベルの印字とパレットへの貼付を不要にすることにより上記課題を解決する。【選択図】　図２
2004010339.tif 000002
【特許請求の範囲】
【請求項１】
パレットに積載された貨物情報の管理方法であって、パレットごとにパレットの管理情報を記したラベルを印字出力して、このラベルをパレットに貼付することにより、パレットに積載されていた貨物の出荷管理や倉庫間の移動の管理を行う代わりに、パレットに積載される個々の貨物の番号と、当該パレットとの対応関係を管理データベースに生成し、パレット上の任意の一の貨物の番号から前記データベースを参照することにより対応するパレット番号を知らせる貨物の番号ラベルの読取り端末を利用することによりパレットの管理情報を記したラベルを貼付することなしにパレットに積載された貨物情報の管理を行う方法。
【請求項２】
貨物の番号ラベルの印字装置、貨物の番号とパレット番号の対応関係を記録管理する管理データベース、貨物のパレット積み上げ時に、貨物番号を読取り、積み上げられる貨物をカウントしながら前記管理データベースに貨物番号とパレット番号を関係付けたテーブルを生成する第１の貨物番号読取り端末、パレット上の貨物の番号ラベルを読み取り前記管理データベースを参照してパレット番号に変換してパレット単位の出庫または倉庫間転送の履歴管理を行う第２の貨物番号読取り端末、とを備える貨物情報の管理システム。
【発明の詳細な説明】
【０００１】
【発明の属する技術分野】
本発明は、パレットに積載された貨物の情報管理方法に関する。
【０００２】
【従来技術】
図１は従来の貨物情報の管理システムを説明する概念的図である。ここで、パレットに積載される貨物の１つ１つをケースと呼び、各ケースにはケースを特定するケース番号がついているものとする。従来、パレットに積載される貨物の出荷や倉庫間転送などの移動の記録や履歴を把握するためにパレット単位で、図１に示す次のようなやり方で貨物情報の管理を行っていた。
１）製造ラインでは、製造された製品ケースにそれぞれバーコード印刷機１０によりケース番号を示すバーコード１１を印字する。または、ケース番号を印字したラベル１１を作成し、これを個々のケースに貼付する。バーコード１１が印字されたまたはラベル１１が貼付された製品ケース１３ができる。
２）パレタイズラインでは、バーコード印字済みの製品ケース１３をパレットに積み上げてゆく。この時、バーコード読取り端末１４によりケース番号ラベルを読取りながらパレットに積み上げる。一つのパレットに積み上げられたケースの番号を管理データベースに登録するためである。
３）積み上げられたケースが所定の積載数に達したら１パレット単位としてバーコード印刷機１５によりパレット番号の情報を盛り込んだラベル１６を発行して貼り付ける。
４）入出庫ラインでは、このパレットラベル１６を用いて、倉庫間転送や出荷の記録管理を行う。
【０００３】
パレット上にラベルを貼付するためには、機械による自動貼付、または人手による貼付が必要である。このため、機械の導入によるコストまたは人的労力が必要であり、また、管理情報として、ケースに印字されるケース番号の情報とパレット番号の情報の両方を管理する必要がある。
【０００４】
【発明が解決しようとする課題】
パレットにパレット番号を示すラベルを貼付してパレット番号を管理させる従来方法では、パレット番号ラベルの印字装置（図１のバーコード印刷機１５）を備える設備コストおよびケース番号に関する情報とパレット番号に関する情報の両方を管理するという繁雑さがある。
【０００５】
本発明はこのような問題点を考慮してなされたものであり、上記、パレット番号ラベルの印字装置を備える設備コストおよびパレット番号ラベルをパレットに貼付する作業コストを不要とする合理的な貨物情報の管理方法および貨物情報の管理システムを提供することを課題とする。
【０００６】
【課題を解決するための手段】
課題を解決するための第１の発明は、パレットに積載された貨物情報の管理方法であって、パレットごとにパレットの管理情報を記したラベルを印字出力して、このラベルをパレットに貼付することにより、パレットに積載されていた貨物の出荷管理や倉庫間の移動の管理を行う代わりに、パレットに積載される個々の貨物の番号と、当該パレットとの対応関係を管理データベースに生成し、パレット上の任意の一の貨物の番号から前記データベースを参照することにより対応するパレット番号を知らせる貨物の番号ラベルの読取り端末を利用することによりパレットの管理情報を記したラベルを貼付することなしにパレットに積載された貨物情報の管理を行うことを要旨とする。
【０００７】
課題を解決するための第２の発明は、貨物の番号ラベルの印字装置、貨物の番号とパレット番号の対応関係を記録管理する管理データベース、貨物のパレット積み上げ時に、貨物番号を読取り、積み上げられる貨物をカウントしながら前記管理データベースに貨物番号とパレット番号を関係付けたテーブルを生成する第１の貨物番号読取り端末、パレット上の貨物の番号ラベルを読み取り前記管理データベースを参照してパレット番号に変換してパレット単位の出庫または倉庫間転送の履歴管理を行う第２の貨物番号読取り端末、とを備える貨物情報の管理システムである。
【０００８】
【発明の実施の形態】
以下図面を用いて、本発明の一実施形態に係る貨物情報の管理システム２を説明してゆく。図２は、貨物情報の管理システム２の貨物情報の管理方法を説明する図である。貨物情報の管理システム２では、次のように貨物情報を管理する。
【０００９】
▲１▼製造ライン上で、既に重量チェックや品質チェックに合格しているパレタイズ直前のケースに対してバーコード印刷機１０によりケース番号を示すバーコード１１を印字　する。またはケース番号を印字したラベル１１を作成し、これをケースに貼付する。バーコード１１が印字されたまたはラベル１１が貼付された製品ケース１３ができる　。
▲２▼バーコード読取り端末１４により製品ケース１３のバーコードの読取りチェックを行　い、チェックで読取り異常となったケースは、パレタイズ前に製造ラインから排除し、パレットに積み込まれないようにする。読取り正常となったケース数をカウントし　、パレット積載数分に達するまで同一のパレット番号とし、製品ケース１３のケース　番号とそれに対するパレット番号の対応テーブルを管理データベース１８に作成し登録する。
▲３▼倉庫間転送や出庫が行われる際は、パレット１７上に積載されているどれかのケース　のバーコードラベルを読取り端末１９により読込み管理データベース１８を参照してパレット番号に変換してパレット単位の出庫または倉庫間転送の履歴管理を行う。
【００１０】
バーコード読取り端末１４は、バーコード読取り装置と、管理データベース１８に新たなデータを登録するアプリケーションプログラムと、から構成することができる。バーコード読取り端末１９は、バーコード読取り装置と、ケース番号をキーにして管理データベース１８を検索して対応するパレット番号を得て、出庫または倉庫間転送の履歴を更新するアプリケーションプログラムと、から構成することができる。貨物情報の管理システム２においては、バーコード読取り端末１９を使用するため、パレットにパレット番号ラベル１６を貼付する必要が内。従って、バーコード印刷機１５も不要である。
【００１１】
【発明の効果】
以上、詳しく説明したように、本発明に係る貨物情報の管理方法および貨物情報の管理システムを採用すれば、パレットラベル用印字装置などのパレット番号ラベルを印字出力するために必要な設備が不要となり設備コストを削減できるという顕著な効果を奏する。また、管理データベースに関して、ケース単位のデータとパレット単位のデータを統合できるため、データ量を小さく抑えることができる。
【図面の簡単な説明】
【図１】貨物情報の管理に関する従来技術の説明図である。
【図２】本発明に係る貨物情報の管理方法の説明図である。
【符号の説明】
１　　　　　　従来の貨物情報管理システム
２　　　　　　本発明に係る貨物情報管理システム
１０　　バーコード印刷機
１１　　バーコード
１３　　製品ケース
１４　　バーコード読取り端末
１５　　バーコード印刷機
１６　　パレット番号ラベル
１７　　パレット
１８　　管理データベース
１９　　バーコード読取り端末
【図１】
2004010339.tif 000003
【図２】
2004010339.tif 000004